(57)【要約】      （修正有）【課題】十分な遠赤外線の放射量を確保すると共に、折り曲げが可能な遠赤外線マット及びその遠赤外線マットを用いる介護用ベッドを提供する。【解決手段】それぞれ同一幅で同一厚みの複数の小型マット１１〜１４が連結されてなる遠赤外線マット１０及び遠赤外線マット１０を用いる介護用ベッドであって、小型マット１１〜１４は、粒度１〜１０ｍｍの表面が滑らかな硬質粒状物からなる多数の遠赤外線放射体１５を袋体１６に入れた、厚みが５〜４０ｍｍの遠赤外線放射層１７と、遠赤外線放射層１７を下から支持する支持板１８と、支持板１８の下側に設けられたクッション性を有する厚み５〜１００ｍｍの断熱材１９と、面状ヒータ２０と、これらを覆う外側カバー２１とを有し、小型マット１１〜１４は、隣り合う小型マットの折り曲げ角度を変更できる連結手段２２〜２４で連結されている。【選択図】図１
0003157129.tif 000002
【実用新案登録請求の範囲】
【請求項１】
それぞれ同一幅で同一厚みの複数の小型マットが連結されてなる遠赤外線マットであって、
前記各小型マットは、粒度１〜１０ｍｍの表面が滑らかな硬質粒状物からなる多数の遠赤外線放射体を袋体に入れた、厚みが５〜４０ｍｍの遠赤外線放射層と、該遠赤外線放射層を下から支持する支持板と、該支持板の下側に設けられたクッション性を有する厚み５〜１００ｍｍの断熱材と、前記遠赤外線放射層と前記支持板の間又は前記支持板と前記断熱材の間に設けられた面状ヒータと、前記遠赤外線放射層、前記支持板、前記断熱材、及び前記面状ヒータを覆う外側カバーとを有し、
前記小型マットは、隣り合う該小型マットの折り曲げ角度を変更できる連結手段で連結されていることを特徴とする遠赤外線マット。
【請求項２】
請求項１記載の遠赤外線マットにおいて、前記連結手段は、隣り合う前記小型マットの折り曲げ側の内角部を連結して構成され、前記隣り合う小型マットの外角部は非連結であることを特徴とする遠赤外線マット。
【請求項３】
請求項２記載の遠赤外線マットにおいて、前記隣り合う小型マットの折り曲げ側の内角部の連結には、前記外側カバーを用いていることを特徴とする遠赤外線マット。
【請求項４】
請求項２記載の遠赤外線マットにおいて、前記隣り合う小型マットの一方には、他方の前記小型マットに隣接する側面に第１の面状ファスナーが設けられ、前記連結手段は、一端部が、他方の前記小型マットに接続され、前記第１の面状ファスナーに貼付可能な第２の面状ファスナーを備えた面状連結シートと、前記第１の面状ファスナーとを有することを特長とする遠赤外線マット。
【請求項５】
請求項１〜４のいずれか１記載の遠赤外線マットを用いる介護用ベッドであって、
ベッド枠体と、該ベッド枠体に固定された固定フレームと、一端部が該固定フレームに回動自在に取り付けられた前部支持台と、一端部が該固定フレームに回動自在に取り付けられ、中間部が屈曲する後部支持台と、前記遠赤外線マットとを有し、
前記連結手段は、前記前部支持台及び前記後部支持台の前記固定フレームへのそれぞれの取り付け位置と、前記後部支持台の屈曲する中間部の上部に、それぞれ配置されることを特徴とする介護用ベッド。
【考案の詳細な説明】
【技術分野】
【０００１】
本考案は、遠赤外線を放射し、人体に血行促進等の有用な作用を与える遠赤外線マットと、その遠赤外線マットに横たわった被介護者の上半身を起こすことができる介護用ベッドとに関する。
【背景技術】
【０００２】
近年、遠赤外線を放射する性質を備えた麦飯石、ブラックシリカ等の鉱石は、人体に対して血行促進や、熟眠等の有用な効果を与えることができるものとして、注目され、就寝用のマット等に用いられている。
そして、例えば、特許文献１では、粘土等に鉱石を加えて焼成し、微粒子状に粉砕したセラミックスをバインダーと共に柔軟性シート状物の表面にコーティングし、表地の下にその柔軟性シート状物を配置したマット（マットレス）が提案されている。
しかしながら、コーティングの厚さには制限があり、遠赤外線の放射量が不十分であった。
【０００３】
そこで、特許文献２では、小径の球形からなる多数の遠赤外線放射体（セラミックス）を縦横に仕切られた袋体に封入した層と、その層の下側に配置され、遠赤外線を反射する反射体が設けられた層とを備える遠赤外線マットが提案されている。
この遠赤外線マットは、袋体に、多くの遠赤外線放射体が封入されているので、十分な遠赤外線の放射量を確保することができる。
【先行技術文献】
【特許文献】
【０００４】
【特許文献１】実開平６−５５５７号公報
【特許文献２】実開平７−２７６０８号公報
【考案の概要】
【考案が解決しようとする課題】
【０００５】
しかしながら、特許文献２の遠赤外線マットは、折り曲げて使用又は収納することを前提に形成されていない。また、折り曲げることができるとしても、折り曲げを繰り返すことによって、袋体に充填された遠赤外線放射体が圧迫され割れ等の破損が生じたり、袋体と遠赤外線放射体との間の摩擦により袋体が裂けたりする恐れがある。
従って、遠赤外線マットに横たわった人の上半身等を起こすため、折り曲げることが前提となる介護ベッドとしての使用には適さなかった。
本考案はかかる事情に鑑みてなされたもので、十分な遠赤外線の放射量を確保すると共に、特定箇所の折り曲げが可能な遠赤外線マット、及びその遠赤外線マットを用いる介護用ベッドを提供することを目的とする。
【課題を解決するための手段】
【０００６】
前記目的に沿う第１の考案に係る遠赤外線マットは、それぞれ同一幅で同一厚みの複数の小型マットが連結されてなる遠赤外線マットであって、前記各小型マットは、粒度１〜１０ｍｍの表面が滑らかな硬質粒状物からなる多数の遠赤外線放射体を袋体に入れた、厚みが５〜４０ｍｍの遠赤外線放射層と、該遠赤外線放射層を下から支持する支持板と、該支持板の下側に設けられたクッション性を有する厚み５〜１００ｍｍの断熱材と、前記遠赤外線放射層と前記支持板の間又は前記支持板と前記断熱材の間に設けられた面状ヒータと、前記遠赤外線放射層、前記支持板、前記断熱材、及び前記面状ヒータを覆う外側カバーとを有し、前記小型マットは、隣り合う該小型マットの折り曲げ角度を変更できる連結手段で連結されている。
【０００７】
第１の考案に係る遠赤外線マットにおいて、前記連結手段は、隣り合う前記小型マットの折り曲げ側の内角部を連結して構成され、前記隣り合う小型マットの外角部は非連結であるのが好ましい。
【０００８】
第１の考案に係る遠赤外線マットにおいて、前記隣り合う小型マットの折り曲げ側の内角部の連結には、前記外側カバーを用いているのが好ましい。
【０００９】
第１の考案に係る遠赤外線マットにおいて、前記隣り合う小型マットの一方には、他方の前記小型マットに隣接する側面に第１の面状ファスナーが設けられ、前記連結手段は、一端部が、他方の前記小型マットに接続され、前記第１の面状ファスナーに貼付可能な第２の面状ファスナーを備えた面状連結シートと、前記第１の面状ファスナーとを有するのが好ましい。
【００１０】
前記目的に沿う第２の考案に係る介護用ベッドは、第１の考案に係る遠赤外線マットを用いる介護用ベッドであって、ベッド枠体と、該ベッド枠体に固定された固定フレームと、一端部が該固定フレームに回動自在に取り付けられた前部支持台と、一端部が該固定フレームに回動自在に取り付けられ、中間部が屈曲する後部支持台と、前記遠赤外線マットとを有し、前記連結手段は、前記前部支持台及び前記後部支持台の前記固定フレームへのそれぞれの取り付け位置と、前記後部支持台の屈曲する中間部の上部に、それぞれ配置される。
【考案の効果】
【００１１】
請求項１〜４記載の遠赤外線マットは、多数の遠赤外線放射体を袋体に入れた、厚みが５〜４０ｍｍの遠赤外線放射層を有するので、十分な遠赤外線の放射量を確保可能である。
また、小型マットは、隣り合う小型マットの折り曲げ角度を変更できる連結手段で連結されているので、遠赤外線マットは、遠赤外線放射体の破損等を生じることなく折り曲げることができる。
【００１２】
特に、請求項２記載の遠赤外線マットは、連結手段が、隣り合う小型マットの折り曲げ側の内角部を連結して構成され、隣り合う小型マットの外角部は非連結であるので、隣り合う小型マットは、連結させた内角部を中心に円滑に折り曲げ角度を変更することができる。
【００１３】
請求項３記載の遠赤外線マットは、隣り合う小型マットの折り曲げ側の内角部の連結に、外側カバーを用いているので、外側カバー以外に連結部材を用いる必要がなく、遠赤外線マットを構成する部材の点数を少なくすることができる。
【００１４】
請求項４記載の遠赤外線マットは、連結手段が、隣り合う小型マットの一方に設けられた第１の面状ファスナーと、一端部が、他方の小型マットに接続され、第１の面状ファスナーに貼付可能な第２の面状ファスナーを備えた面状連結シートとを有するので、不具合の生じた小型マットのみを新しいものに交換することができ、交換コストを抑えることが可能である。
また、遠赤外線マットを使用しない場合には、小型マットを分離して保管することができ、保管スペースの確保が容易である。
【００１５】
請求項５記載の介護用ベッドは、前部支持台及び後部支持台の固定フレームへのそれぞれの取り付け位置と、後部支持台の屈曲する中間部の上部に、隣り合う小型マットを連結する連結手段がそれぞれ配置されるので、介護用ベッドは、遠赤外線放射体の破損等を生じることなく、遠赤外線マットの特定箇所を折り曲げて、上部に横たわった人の上半身等を起こすことが可能である。
【図面の簡単な説明】
【００１６】
【図１】本考案の第１の実施の形態に係る遠赤外線マットの一部切り欠き側面図である。
【図２】同遠赤外線マットの平面図である。
【図３】（Ａ）、（Ｂ）はそれぞれ本考案の第２の実施の形態に係る遠赤外線マットの連結状態及び連結解除状態を示す一部切り欠き側面図である。
【図４】同遠赤外線マットの平面図である。
【図５】本考案の一実施の形態に係る介護用ベッドの遠赤外線マットを省略した平面図である。
【図６】同介護用ベッドに人が横たわった状態を示す側断面図である。
【図７】同介護用ベッドで人が起き上がった状態を示す側断面図である。
【考案を実施するための形態】
【００１７】
続いて、添付した図面を参照しつつ、本考案を具体化した実施の形態につき説明し、本考案の理解に供する。
図１、図２に示すように、本考案の第１の実施の形態に係る遠赤外線マット１０は、それぞれ同一幅で同一厚みの小型マット１１〜１４が連結されてなり、横たわった人の上半身等を起こす介護ベッド等に用いられるベッドマットである。
そして、遠赤外線マット１０の小型マット１１〜１４はそれぞれ、粒度が１〜１０ｍｍの表面が滑らかな硬質粒状物からなる多数の遠赤外線放射体１５を袋体１６に入れた、厚みが５〜４０ｍｍ（本実施の形態では１５ｍｍ）の遠赤外線放射層１７と、遠赤外線放射層１７を下から支持する支持板１８と、支持板１８の下側に設けられたクッション性を有する厚み５〜１００ｍｍ（本実施の形態では２５ｍｍ）の断熱材１９と、支持板１８と断熱材１９の間に設けられた面状ヒータ２０と、遠赤外線放射層１７、支持板１８、断熱材１９、及び面状ヒータ２０を覆う外側カバー２１とを有し、隣り合う小型マット１１と小型マット１２、小型マット１２と小型マット１３、及び小型マット１３と小型マット１４はそれぞれ、折り曲げ角度を変更できる連結手段２２〜２４で連結されている。以下、これらについて詳細に説明する。
【００１８】
遠赤外線放射体１５は、遠赤外線を放射する天然鉱石破砕物の一例である蛇紋石破砕物や、金属酸化物（例えば酸化アルミニウム）等により形成され、袋体１６内に入れられている。遠赤外線放射体１５は、表面が滑らかな形状（本実施の形態では楕円体）のため、遠赤外線マット１０の上に人が横たわったときに、大きな摩擦力を生じることなく袋体１６内で移動し、割れ等の破損の発生が防止されている。
更に、遠赤外線放射体１５は、粒度が最小でも１ｍｍであり、ある程度の大きさを有するので、遠赤外線放射層１７に、通気性を確保することができ、カビや細菌の繁殖を抑制している。
なお、遠赤外線放射体１５の粒度は最大でも１０ｍｍのため、遠赤外線マット１０に横たわった人に大きな刺激を与えて不快感をもたらすことはない。
【００１９】
袋体１６は、遠赤外線放射体１５の小径（粒度）よりも目の細かい通気性のある布地又は合成繊維等によって形成され、遠赤外線放射体１５が袋体１６の外に出るのを防止している。なお、本実施では、袋体１６が、小型マット１１〜１４にそれぞれ一つずつ配置されているが、遠赤外線放射体１５の移動領域を狭くして、遠赤外線放射体１５の偏在を抑制するため、一つの小型マットに複数の袋体を縦横に複数並べて配置してもよい。
また、袋体１６が配置された遠赤外線放射層１７は、厚みが５ｍｍ以上であるため遠赤外線の放射量を十分に確保できる。更に、袋体１６の厚みの上限値が４０ｍｍであるため、遠赤外線マット１０の取り扱いが困難となる重さになるのを防止している。
【００２０】
遠赤外線放射体１５を封入した袋体１６を下から支持する支持板１８は、厚さ２〜５ｍｍ（本実施の形態では３ｍｍ）のベニヤ板もしくは、遠赤外線を反射するアルミニウム等を素材とする金属板によって形成されている。
支持板１８にアルミニウム等からなる金属板を用いた場合には、遠赤外線放射体１５から下向きに放射された遠赤外線が、支持板１８によって上向きに反射されるので、遠赤外線マット１０に横たわった人は、効率的に遠赤外線を吸収することができる。なお、支持板１８の厚みを２ｍｍ以上としたのは、支持板１８が遠赤外線放射体１５を封入した袋体１６を支持するために十分な強度を有するためであり、厚みを５ｍｍ以下としたのは、遠赤外線マット１０全体の重量が重くなりすぎるのを回避するためである。
【００２１】
面状ヒータ２０は、例えばＰＴＣヒータからなり、遠赤外線放射体１５を温め、遠赤外線放射体１５から放射される遠赤外線量を増加させる。面状ヒータ２０は、図示しないコントローラでの入力操作によって、１０℃〜３０℃の範囲で温度調整が可能であり、その日の気温に応じて温度変更できる。また、面状ヒータ２０は、コントローラからの入力によって、暖房の入り切り時間を設定できるので、例えば、就寝予定時間の３０分前から１時間だけ暖房を行うことや、起床予定時間前の１時間前から１時間暖房を行うこと等が可能である。
そして、面状ヒータ２０の下側に配置されている断熱材１９は、５ｍｍ以上の厚みを有するので、面状ヒータ２０の発する熱が伝導するのを抑制して、遠赤外線放射体１５が、面状ヒータ２０によって効率的に温められるようにしている。なお、断熱材１９の厚みは１００ｍｍ以下であるので、遠赤外線マット１０の持ち運び等の際に、遠赤外線マット１０の取り扱いが容易である。
また、遠赤外線放射層１７、支持板１８、面状ヒータ２０、及び断熱材１９を覆う外側カバー２１は、通気性のある布地又は合成繊維等で形成されている。
【００２２】
小型マット１１〜１４は、平面視して矩形状（正方形を含む）に形成され、同一幅、同一厚みを有し、幅が６００〜１２００ｍｍ（本実施の形態では９００ｍｍ）、厚みが３５〜８０ｍｍ（本実施の形態では４５ｍｍ）となっている。また、長さは、小型マット１１が７００〜８５０ｍｍ（本実施の形態では７９０ｍｍ）、小型マット１２〜１４が同一長で３５０〜４２０ｍｍ（本実施の形態では３８０ｍｍ）である。
また、小型マット１１〜１４は、横並びに配置され、小型マット１１と小型マット１２、小型マット１２と小型マット１３、及び小型マット１３と小型マット１４は、いずれか一方を基準にした角度（相対角度）即ち折り曲げ角を変更できる連結手段２２〜２４によってそれぞれ連結されている。
【００２３】
小型マット１１の外側カバー２１と小型マット１２の外側カバー２１は、隣接する小型マット１１の内角部２５と小型マット１２の内角部２５ａの位置で接続され、小型マット１１と小型マット１２の折り曲げ角度は、小型マット１１及び小型マット１２が同一高さで平行となる０度位置から、小型マット１１、１２の各上面が密着する１８０度位置の間で変更可能である。なお、内角部２５、２５ａは小型マット１１、１２のそれぞれの上面端部である。
そして、連結手段２２は、この小型マット１１、１２の外側カバー２１を用いた内角部２５、２５ａの接続によって構成されている。
【００２４】
なお、小型マット１１、１２の隣接する内角部２５、２５ａは、小型マット１１、１２の各外側カバー２１を連続して一体的に形成することや、小型マット１１、１２の各外側カバー２１を縫い付けすること等により接続されている。
また、小型マット１１、１２は、小型マット１１、１２の接続される上面端部以外の部分が、小型マット１１、１２の隣接する下面端部位置（折り曲げ箇所の外角部）を含めて非連結である。
【００２５】
小型マット１２、１３を連結する連結手段２３についても、小型マット１１、１２の連結と同様であり、小型マット１２と小型マット１３の折り曲げ角度は、０度位置から１８０度位置の間で変更可能である。そして、連結手段２３は、小型マット１２、１３の各外側カバー２１の接続によって構成され、小型マット１２、１３の隣接する上面端部である小型マット１２の内角部２６と小型マット１３の内角部２６ａを連結している。
また、小型マット１３、１４は、それぞれの外側カバー２１が小型マット１３、１４の隣接する下面端部を接続し、小型マット１３、１４の折り曲げ角度は、それぞれの下面が密着する−１８０度位置から０度位置の間で変更可能である。そして、連結手段２４は、この小型マット１３、１４の各外側カバー２１の接続からなり、小型マット１３の内角部２７（下面端部）と小型マット１４の内角部２７ａ（下面端部）が連結手段２４によって連結されている。
【００２６】
次に、本考案の第２の実施の形態に係る遠赤外線マット３０について説明する。
なお、遠赤外線マット１０と同一の構成要素については同一の符号を付して詳しい説明を省略する。
図３（Ａ）、（Ｂ）、図４に示すように、遠赤外線マット３０は、横並びに連結された小型マット３１〜３４と、隣り合う小型マットを折り曲げ角度を変更可能に連結する連結手段３５〜３７とを備えている。
【００２７】
小型マット３１〜３４には、遠赤外線放射層１７、支持板１８、面状ヒータ２０、及び断熱材１９を覆う外側カバー４１〜４４がそれぞれ設けられている。
外側カバー４２は、小型マット３１、３２が０度位置のとき、小型マット３１に隣接する小型マット３２の側面４５に、第１の面状ファスナー４６を備えている。
また、小型マット３２の側面４５に対向する小型マット３１の側面４７の上端部には、面状連結シート４８が一端部を縫い付け接続されている。そして、面状連結シート４８には、片面側に第１の面状ファスナー４５に貼付可能な第２の面状ファスナー４９が備えられているので、隣り合う小型マット３１、３２は、第１、第２の面状ファスナー４６、４９の貼付により、０度位置から１８０度位置の範囲で折り曲げ角度が変更可能に連結される。
なお、連結手段３５は、第１の面状ファスナー４６と、面状連結シート４８とを備えて構成され、小型マット３１、３２の折り曲げ側（上側）の内角部を連結している。また、第１、第２の面状ファスナー４６、４９は一方が雄型（フック状）の面状ファスナーであり、他方が雌型（ループ状）の面状ファスナーである。
【００２８】
小型マット３２には、側面４５の反対側（他側）の側面５０の上端部に、面状連結シート４８の一端部が縫い付け接続されている。小型マット３２の側面５０に隣接する小型マット３３の側面５２には、側面５０に接続された面状連結シート４８の第２の面状ファスナー４９に貼付可能な第１の面状ファスナー４６が設けられている。
そして、連結手段３６は、側面５０に接続された面状連結シート４８及び側面５２に設けられた第１の面状ファスナー４６を有して構成され、隣り合う小型マット３２、３３は、連結手段３６によって、０度位置から１８０度位置の範囲で折り曲げ角度が変更可能に連結されている。
【００２９】
小型マット３３には、側面５２の反対側（他側）の側面５４の下端部に、一端部が縫い付け接続された面状連結シート５５が取り付けられている。面状連結シート５５は、第２の面状ファスナー５６を備え、小型マット３４の、小型マット３３の側面５４に隣接する側面５７には、第２の面状ファスナー５６に貼付可能な第１の面状ファスナー５８が設けられている。
そして、連結手段３７は、面状連結シート５５及び第１の面状ファスナー５８を有して構成され、小型マット３３、３４の折り曲げ側（下側）の内角部を連結している。小型マット３３、３４は、連結手段３７によって、０度位置から−１８０度位置の範囲で折り曲げ角度が変更可能に連結される。
【００３０】
小型マット３１（小型マット３２、３３についても同様）は、小型マット３２の側面４５に設けられた第１の面状ファスナー４６に貼付されている第２の面状ファスナー４９をこの第１の面状ファスナー４６から取り外すことにより、小型マット３２と分離することができる。
従って、小型マット３１に不具合が生じた場合には、小型マット３１のみを新しい小型マットと交換可能であり、遠赤外線マット３０全体を新しくするのに比べて、費用を抑えることができる。また、遠赤外線マット３０を使用しない場合には、小型マット３１〜３４をそれぞれ分離して保管することができ、保管スペースの確保が容易である。
【００３１】
次に、本考案の一実施の形態に係る介護用ベッド６０について説明する。
図５、図６に示すように、介護用ベッド６０は、ベッド枠体６１と、ベッド枠体６１に固定された固定フレーム６２と、一端部が固定フレーム６２に回動自在に取り付けられた前部支持台６３と、一端部が固定フレーム６２に回動自在に取り付けられ、中間部が屈曲する後部支持台６４と、前部支持台６３及び後部支持台６４によって、下から支持される遠赤外線マット１０とを有している。そして、介護用ベッド６０は、前部支持台６３及び後部支持台６４の固定フレーム６２へのそれぞれの取り付け位置と、後部支持台６４の屈曲する中間部の上部に、遠赤外線マット１０の連結手段２２〜２４をそれぞれ配置している。以下、これらについて詳細に説明する。
【００３２】
ベッド枠体６１は、平面視して遠赤外線マット１０を囲むように形成され、左右に対向して配置された左側板６５及び右側板６６と、左側板６５及び右側板６６の前側端部が連結された前部側板６７と、左側板６５及び右側板６６の後側端部が連結され、前部側板６７に対向配置された後部側板６８とを備えている。
前部側板６７と後部側板６８は、下部を接地面（水平面）に当接して、左側板６５及び右側板６６を水平に保持している。
なお、前部側板６７には、面状ヒータ２０に電源を供給する図示しない電源供給部が設けられている。
【００３３】
固定フレーム６２は、左側板６５及び右側板６６にねじ固定された対となる縦水平棒材６９と、対となる縦水平棒材６９に両端部を連結し、縦水平棒材６９に垂直配置された横水平棒材７０〜７２と、前部支持台６３と後部支持台６４が回動可能に連結された中央支持台７３とを有している。
中央支持台７３は、前部支持台６３と後部支持台６４の間に配置され、上部に遠赤外線マット１０の小型マット１２が配置される金網材７４と金網材７４が張設された枠体部７５とを備えている。そして、枠体部７５の前側端部及び後側端部には、前部支持台６３及び後部支持台６４がそれぞれ回動可能に連結されている。
【００３４】
各縦水平棒材６９には、図示しない２つの軸受部が一定の間隔を有して設けられ、対となる縦水平棒材６９の対向する軸受部には、回動軸７６、７７がそれぞれ回動可能に取り付けられている。
回動軸７６、７７には、操作端末７８が信号接続された駆動モータ装置７９が取り付けられ、駆動モータ装置７９は、操作端末７８で行われた入力操作によって、回動軸７６、７７をそれぞれ独立して回転駆動する。なお、操作端末７８は、前部側板６７に掛止め固定できる。
【００３５】
回動軸７６の両端部には、基部が回動軸７６に固定され、ローラ８１を先部に備えた前側回動棒材８２、８３がそれぞれ取り付けられている。
そして、図６、図７に示すように、前側回動棒材８２、８３は、回動軸７６と共に回動して、水平位置である０度位置から、ローラ８１を上位置にして垂直となる９０度位置まで回動する。
前部支持台６３の後端部は中央支持台７３の前端部に回動可能に連結され、ローラ８１は、前部支持台６３に下側から当接しているので、前側回動棒材８２、８３が０度位置から９０度位置に回動するのに従って、前部支持台６３を水平状態から垂直状態に回動する。
なお、前部支持台６３は、上部に遠赤外線マット１０の小型マット１１が配置される金網材８４及び金網材８４が張設された枠体部８５を備え、０度位置のとき、横水平棒材７０により下から支持され、回動に伴って、遠赤外線マット１０に横たわった被介護者８６の上半身を起こすことができる。
【００３６】
回動軸７７の両端部には、基部が回動軸７７に固定され、ローラ８７を先部に備えた後側回動棒材８８、８９がそれぞれ取り付けられている。後側回動棒材８８、８９は、回動軸７７と共に回動して、水平位置である０度位置から、ローラ８７を上位置にして垂直となる９０度位置まで回動する。
【００３７】
後部支持台６４は、中央支持台７３の後端部に回動可能に連結され、下からローラ８７が当接する支持回動台９１と、支持回動台９１に前側端部が回動可能に連結された後端支持台９２とを備えている。
支持回動台９１及び後端支持台９２の上部には、遠赤外線マット１０の小型マット１３、１４がそれぞれ配置されている。小型マット１３、１４の連結手段２４は、後部支持台６４の中間部である支持回動台９１と後端支持台９２の連結部の上部に配置される。
そして、支持回動台９１は金網材９３と金網材９３が張設された枠体部９４とを備えている。
【００３８】
後端支持台９２は、金網材９５と金網材９５が張設された枠体部９６とを備え、枠体部９６には、基部が縦水平棒材６９に回動可能に取り付けられた回動棒材９７の先部が、回動可能に取り付けられている。
そして、ローラ８７は、後部支持台６４の支持回動台９１に下側から当接しており、後側回動棒材８８、８９が０度位置から９０度位置に回動するのに従って、支持回動台９１を回動すると共に、後部支持台６４の中間部、即ち支持回動台９１と後端支持台９２の連結部を屈曲する。
なお、後部支持台６４が０度位置のとき、支持回動台９１及び後端支持台９２は、横水平棒材７１、７２によって、それぞれ下から支持される。
また、介護用ベッド６０には、遠赤外線マット１０の代わりに遠赤外線マット３０を用いることもでき、この場合、前部支持台６３と後部支持台６４の中央支持台７３へのそれぞれの取り付け位置、及び支持回動台９１と後端支持台９２の連結部の上部には、遠赤外線マット３０の連結手段３５〜３７がそれぞれ配置される。
【００３９】
以上、本考案の実施の形態を説明したが、本考案は、上記した形態に限定されるものでなく、要旨を逸脱しない条件の変更等は全て本考案の適用範囲である。
例えば、直径が１〜１０ｍｍの球体や、他の表面が滑らかな形状の硬質粒状物からなる遠赤外線放射体を袋対に入れて用いることができる。また、面状ヒータは遠赤外線放射層と支持板の間に配置してもよい。
【符号の説明】
【００４０】
１０：遠赤外線マット、１１〜１４：小型マット、１５：遠赤外線放射体、１６：袋体、１７：遠赤外線放射層、１８：支持板、１９：断熱材、２０：面状ヒータ、２１：外側カバー、２２〜２４：連結手段、２５〜２７：内角部、２５ａ〜２７ａ：内角部、３０：遠赤外線マット、３１〜３４：小型マット、３５〜３７：連結手段、４１〜４４：外側カバー、４５：側面、４６：第１の面状ファスナー、４７：側面、４８：面状連結シート、４９：第２の面状ファスナー、５０：側面、５２：側面、５４：側面、５５：面状連結シート、５６：第２の面状ファスナー、５７：側面、５８：第１の面状ファスナー、６０：介護用ベッド、６１：ベッド枠体、６２：固定フレーム、６３：前部支持台、６４：後部支持台、６５：左側板、６６：右側板、６７：前部側板、６８：後部側板、６９：縦水平棒材、７０〜７２：横水平棒材、７３：中央支持台、７４：金網材、７５：枠体部、７６、７７：回動軸、７８：操作端末、７９：駆動モータ装置、８１：ローラ、８２、８３：前側回動棒材、８４：金網材、８５：枠体部、８６：被介護者、８７：ローラ、８８、８９：後側回動棒材、９１：支持回動台、９２：後端支持台、９３：金網材、９４：枠体部、９５：金網材、９６：枠体部、９７：回動棒材
【図１】
0003157129.tif 000003
【図２】
0003157129.tif 000004
【図３】
0003157129.tif 000005
【図４】
0003157129.tif 000006
【図５】
0003157129.tif 000007
【図６】
0003157129.tif 000008
【図７】
0003157129.tif 000009